(57)【特許請求の範囲】
【請求項１】
第１側面板、天面板、第２側面板、底面板、糊代片がそれぞれ折り曲げ線を介して縦方向に連設されて一組の枠体ブランクを形成し、この一組の枠体ブランクを縦方向のミシン目状の切れ目線を介して横方向に順次連設させて複数組の枠体ブランクからなる乾燥剤容器の集積包装用枠体ブランクとし、この集積包装用枠体ブランクの各底面板上に乾燥剤容器を載せ、各側面板、天面板、底面板を折り曲げ、糊代片を第１側面板の裏面に貼着させて左右が開放された角筒状の枠体とした乾燥剤容器の集積包装用枠体において、
前記天面板と各側面板を分ける２本の折り曲げ線上には、それそれ該折り曲げ線と重なる切れ目線が互いに対称の位置に設けられ、前記切れ目線近傍を始点並びに終点にしてそれぞれ切り込み線が略Ｕ字状に施されて一対の折り込み片が区画され、前記各切り込み線の始点と終点とはそれぞれ折り曲げ線で結ばれ、この折り込み片の中央部には、乾燥剤容器の鍔を掛止する掛止長孔が前記折り曲げ線と略平行に設けられていることを特徴とする乾燥剤容器の集積包装用枠体。
【請求項２】
前記天面板と各側面板とを分ける２本の折り曲げ線をミシン目状の切れ目線としたことを特徴とする請求項１記載の乾燥剤容器の集積包装用枠体。
【請求項３】
前記天面板に設けられた掛止長孔は、乾燥剤容器の鍔の外周形状と略等しい内周形状の掛止長孔であることを特徴とする請求項１または２記載の乾燥剤容器の集積包装用枠体。
【請求項４】
前記各側面板の切れ目線と接する側縁には、切れ目線の略中央部分から各側面板の内方に縦方向の切り込みが設けられていることを特徴とする請求項１、２または３記載の集積包装用枠体。
【発明の詳細な説明】
【０００１】
【発明の属する技術分野】
本発明は、運搬時には複数の乾燥剤容器を集積包装して移動可能とし、容器天部のアルミニウム箔等を剥がして乾燥剤を使用する際には、天面板を切り取り容器の天部に載せて蓋体とすることが可能な乾燥剤容器の集積包装用枠体に関する。
【０００２】
【従来の技術】
従来、塩化カルシウム等の潮解性塩類をプラスチック製あるいは紙製の鍔付き容器に収容して、これを押入れ等の収納庫内に入れて収納庫内の湿気を容器内の乾燥剤に吸収させて収納庫内の湿度を下げるという乾燥剤入りの容器（乾燥剤容器）が普及している。
このタイプの乾燥剤容器は一つの収納庫内に複数個使用されることが多い。そのため、例えば、３個を一まとめにして市販されることが多い。
【０００３】
複数個の乾燥剤容器をまとめて収納するために、例えば、プラスチック製のトレーに３個の乾燥剤容器を並べて全体をシュリンク包装する方法が取られてきたが、この方法では、乾燥剤を使用する際には、プラスチック製のトレーやシュリンクフィルムは不要となって捨てることになり、廃棄時の処理に問題点がある。
【０００４】
そのため、例えば、特開平７−２０４４５０号公報や特開平７−１４４１１５号公報に開示されているような、集積包装用枠体を兼ねた紙製の蓋体が発明されている。
【０００５】
前者の発明は、図４（ａ）、（ｂ）に示すように、除湿剤容器（１０６）が集束保持された時に該容器の口部に対応する位置に空気の流通孔（１０２）が穿設された天板部（１０１ａ）と該天板部を長辺方向に延長してなる二枚の側板部（１０１ｂ）とが折り目（１０３）を介して連続形成されており、前記容器のフランジ部（１０８）が嵌着する嵌着孔（１０４）が前記折り目（１０３）を跨がるように穿設されており、更に前記各流通孔（１０２）間に二枚の側板部の端部から端部まで切り取り部（１０５）を設けた除湿剤の蓋体兼集束枠体としたものである。
【０００６】
この発明においては、容器と枠体の固定は、容器のフランジ部を枠体の嵌着孔に嵌着させているのみなので、例えば、シュリンク包装等して二枚の側板部を容器にしっかり固定させておかないと容器は枠体から外れてしまうという問題がある。すなわち、シュリンク包装という余分な工程や材料を必要とする。
【０００７】
また後者の発明は、図５（ａ）、（ｂ）に示すように、側面板（２２０）と多数の通気孔（２３１）を設けた蓋面板（２３０）と側面板と除湿カップのトップカールの外周形状にほぼ等しい内周形状の嵌合孔（２４１）を設けた下面板（２４０）と糊代片（２５０）とを、順に連設して、この嵌合孔（２４１）の前後の内周辺に、トップカールの下部を繋止する長方形状の繋止片（２４２）を、それぞれ連設した除湿カップ用の紙蓋ブランクであって、この除湿カップ用の紙蓋ブランクの複数枚を、縦の切れ目線（ｚ）を介してそれぞれ連設して、左右を開放した角筒状に製箱した除湿カップ用の集積紙蓋としたものである。
【０００８】
この発明においては、紙蓋は角筒状に製箱されているので、繋止片で固定された容器のフランジ部は簡単には外れない構造を有しているが、複数個の集積固定を考慮した際、容器の底部近傍は互いに固定されておらず、全体をシュリンク包装等しない場合には、安定性に欠けるものである。
【０００９】
【発明が解決しようとする課題】
本発明は、乾燥剤容器を複数個まとめて包装すると共に使用時には紙蓋として使用する集積包装用枠体に関する以上のような問題点に着目してなされたもので、運搬時にはシュリンク包装なしでしっかり固定され、使用時には枠体の一部を切り取る等簡単な操作で蓋体に使用できる乾燥剤容器の集積包装用枠体を提供することを目的とする。
【００１０】
【課題を解決するための手段】
本発明の第１の発明は、第１側面板、天面板、第２側面板、底面板、糊代片がそれぞれ折り曲げ線を介して縦方向に連設されて一組の枠体ブランクを形成し、この一組の枠体ブランクを縦方向のミシン目状の切れ目線を介して横方向に順次連設させて複数組の枠体ブランクからなる乾燥剤容器の集積包装用枠体ブランクとし、この集積包装用枠体ブランクの各底面板上に乾燥剤容器を載せ、各側面板、天面板、底面板を折り曲げ、糊代片を第１側面板の裏面に貼着させて左右が開放された角筒状の枠体とした乾燥剤容器の集積包装用枠体において、前記天面板と各側面板を分ける２本の折り曲げ線上には、それそれ該折り曲げ線と重なる切れ目線が互いに対称の位置に設けられ、前記切れ目線近傍を始点並びに終点にしてそれぞれ切り込み線が略Ｕ字状に施されて一対の折り込み片が区画され、前記各切り込み線の始点と終点とはそれぞれ折り曲げ線で結ばれ、この折り込み片の中央部には、乾燥剤容器の鍔を掛止する掛止長孔が前記折り曲げ線と略平行に設けられていることを特徴とする乾燥剤容器の集積包装用枠体である。
【００１１】
このように、天面板の各側面板を分ける２本の折り曲げ線上には、それそれ該折り曲げ線と重なる切れ目線が互いに対称の位置に設けられているので、第１側面板と第２側面板の両側面板で容器を両側から押さえた際、容器の鍔が切れ目線から押し出され、容器は安定して保持される。
【００１２】
また、天面板の各側面板を分ける２本の折り曲げ線上には、それそれ該折り曲げ線と重なる切れ目線が互いに対称の位置に設けられ、前記切れ目線近傍を始点並びに終点にしてそれぞれ切り込み線が略Ｕ字状に施されて一対の折り込み片が区画され、前記各切り込み線の始点と終点とはそれぞれ折り曲げ線で結ばれ、この折り込み片の中央部には乾燥剤容器の鍔を掛止する掛止長孔が前記折り曲げ線と略平行に設けられているので、天面板を枠体から切り離し、一対の折り込み片を折り曲げ線を軸にして１８０°以上押し込むことにより、掛止長孔は乾燥剤容器の鍔に掛止され、天面板は容器の天部との間に適宜の間隔をおいて蓋材として固定される。
【００１３】
また、第２の発明は、第１の発明において、前記天面板と各側面板を分ける２本の折り曲げ線をミシン目状の切れ目線としたことを特徴とする乾燥剤容器の集積包装用枠体である。
【００１４】
このように、天面板と各側面板を分ける２本の折り曲げ線をミシン目状の切れ目線としたので、使用時に、天面板をミシン目状の切れ目線に沿って容易に切り離すことができる。
【００１５】
また、第３の発明は、第１または第２の発明において、前記天面板に設けられた掛止長孔は、乾燥剤容器の鍔の外周形状略等しい内周形状の掛止長孔であることを特徴とする乾燥剤容器の集積包装用枠体である。
【００１６】
このように、天面板に設けられた掛止長孔を乾燥剤容器の鍔の外周形状略等しい内周形状の掛止長孔としたことにより、天面板を枠体から切り離し、蓋体として使用する際、折り曲げ片を折り曲げ、この折り曲げた折り曲げ片を内方に押すのみで、掛止長孔が容器の鍔に容易に掛止できる。
【００１７】
また、第４の発明は、第１、第２または第３の発明において、前記各側面板の切れ目線と接する側縁には、切れ目線の略中央部分から各側面板の内方に縦方向の切り込みが設けられていることを特徴とする乾燥剤容器の集積包装用枠体である。
【００１８】
このように、各側面板の切れ目線と接する側縁には、切れ目線の略中央部分から各側面板の内方に縦方向の切り込みが設けられているので、乾燥剤容器を集積包装する際、乾燥剤容器の鍔が容易に切れ目線から各側面板の外側に露出して、しっかり固定できる。
【００１９】
【発明の実施の形態】
以下実施例により本発明を詳細に説明する。
図１は本発明の乾燥剤容器の集積包装用枠体ブランクの一実施例を示し、図２は該ブランクを組み立て、乾燥剤容器を集積包装した枠体の一実施例を示す。
本発明の乾燥剤容器の集積包装用枠体のブランクは、例えば図１に示すように、第１側面板（１）、天面板（２）、第２側面板（３）、底面板（４）、糊代片（５）がそれぞれ折り曲げ線を介して連設され、天面板と各側面板とを分ける２本の折り曲げ線（ａ）には、それぞれ折り曲げ線と重なる切れ目線（ｂ）が互いに対称の位置に設けられ、切れ目線（ｂ）近傍を始点並びに終点とする切り込み線（ｃ）がそれぞれ略Ｕ字状に施されて一対の折り込み片（１１）が区画され、各切り込み線（ｃ）の始点と終点とは折り曲げ線（ｄ）で結ばれ、折り込み片の略中央部には乾燥剤容器（２０）の鍔（２１）を掛止する掛止長孔（１２）が切れ目線（ｂ）と略平行に設けられている一組の枠体ブランク（１０）を縦方向のミシン目状の切れ目線（ｅ）を介して横方向に順次連設させた複数組の枠体ブランクから形成される。なお、この図においては３組の枠体ブランクを連続させた。
【００２０】
そして、天面板（２）と天面板の両端に連設される第１側面板（１）および第２側面板（３）とを分ける折り曲げ線（ａ）をミシン目状の切れ目線にしておくことにより、使用時に天面板（２）を切り取る際、容易に切り取ることができ、使い勝手が良くなる。
【００２１】
また、天面板に設けられた掛止長孔（１２）を、乾燥剤容器（２０）の鍔（２１）の外周形状と略等しい内周形状の掛止長孔にすることにより、天面板を蓋体として使用する際、切り込み片（１１）を押し込むと容易に鍔に嵌め込むことができる。
【００２２】
さらに、各側面板の切れ目線（ｂ）と接する側縁に、切れ目線（ｂ）の略中央部分から各側面板の内方に縦方向の切り込み（ｆ）を設けることにより、乾燥剤容器を枠体で包んだ際、乾燥剤容器の鍔（２１）が切れ目線（ｂ）から容易に枠体の外に出て、乾燥剤容器（２０）は枠体に強固に固定される。
【００２３】
図２は、図１で示した集積包装用枠体ブランクを使用して、乾燥剤容器を集積包装した状態を示す斜視説明図である。
各枠体ブランクの底面板（４）の上に鍔付きの乾燥剤容器を載せ、各側面板、天面板を折り曲げ、底面板の裏面と糊代片（５）とを接着剤等を介して接着させることにより、複数個（この場合は３個）の乾燥剤容器を集積包装し枠体に包むことができる。
乾燥剤容器の鍔（２１）は切れ目線（ｂ）から枠体の外に出ると共に、鍔部分が枠体にしっかり固定されることにより、乾燥剤容器は枠体に強固に保持される。
【００２４】
乾燥剤容器を使用する際は、以下の手順にしたがう。
すなわち、先ず、集積包装用枠体に複数個集積包装された乾燥剤容器を１個ずつに分離すると共に、枠体の天面板（２）をミシン目状の切れ目線（ａ）、（ｅ）で切り離し、乾燥剤容器の蓋体として使用することにする。
【００２５】
蓋体として使用する天面板（２）の一対の折り込み片（１１、１１）を切り込み線（ｃ）で切り離し、折り曲げ線（ｄ）を山折りすることにより、一対の折り込み片は押し込まれ、天面板を乾燥剤容器の天部に被せるように位置させると、折り込み片に設けられた掛止長孔（１２）は乾燥剤容器の鍔（２１）に掛止され、乾燥剤容器の天部を保護する蓋材となる（図３参照）。
【００２６】
折り曲げ線（ｄ）と掛止長孔（１２）の間に適度の間隔を有しているので、蓋材が乾燥剤容器の天部の吸湿シートに密着することはない。
折り込み片の先端を引っ張ることにより蓋体を乾燥剤容器から簡単に取り除くこともできる。
【００２７】
【発明の効果】
上記のように本発明によれば、数個の乾燥剤容器を集積包装した枠体を、乾燥剤の使用時に吸湿シート突き破り防止用の蓋体に再使用でき、資源の再使用が図れる。
プラスチック製の蓋体を紙製に変更することにより、廃棄時の処理が容易である。
【図面の簡単な説明】
【図１】本発明の乾燥剤容器の集積包装用枠体のブランクの一実施例を示す平面説明図である。
【図２】図１の集積包装用枠体ブランクを組み立て、乾燥剤容器を集積包装した状態を示す斜視説明図である。
【図３】本発明の乾燥剤容器の集積包装用枠体の天面板を切り取り、蓋体として乾燥剤容器の天面に被せた状態を示す斜視説明図である。
【図４】乾燥剤容器の集積包装用枠体の従来例を示す、（ａ）は枠体の斜視説明図であり、（ｂ）は容器を取り付けた状態を示す斜視説明図である。
【図５】乾燥剤容器の集積包装用枠体の別の従来別を示す、（ａ）は平面説明図であり、（ｂ）は使用時に容器用の紙蓋として用いる状態を示す断面図である。
【符号の説明】
１‥‥第１側面板
２‥‥天面板
３‥‥第２側面板
４‥‥底面板
５‥‥糊代片
１０‥‥一組の枠体ブランク
１１‥‥折り込み片
１２‥‥掛止長孔
２０‥‥乾燥剤容器
２１‥‥鍔
ａ‥‥折り曲げ線
ｂ‥‥切れ目線
ｃ‥‥切り込み線
ｄ‥‥折り曲げ線
ｅ‥‥縦方向のミシン目状の切れ目線
１０１ａ‥天板部
１０１ｂ‥側板部
１０２‥‥流通孔
１０３‥‥折り目
１０４‥‥嵌着孔
１０５‥‥切り取り部
１０６‥‥除湿剤容器
１０８‥‥フランジ部
２２０‥‥側面板
２３０‥‥蓋面板
２３１‥‥通気孔
２４０‥‥下面板
２４１‥‥嵌合孔
２４２‥‥繋止片
２５０‥‥糊代片
ｚ‥‥縦の切れ目線
【図１】
0003843699.tif 000002
【図２】
0003843699.tif 000003
【図３】
0003843699.tif 000004
【図４】
0003843699.tif 000005
【図５】
0003843699.tif 000006